(57)【要約】      （修正有）【課題】調理用容器の滑落を防止することができる誘導加熱調理器を提供する。【解決手段】誘導加熱調理器１は、上部部材３がトッププレート８の周囲で折り返され、トッププレート８の上面より高い凸部１０を形成している。凸部１０は、トッププレート８の上面より高くなっているため、段差部１１を有し、調理用容器９の横滑りを係止することができる。凸部１０を有していることにより、誘導加熱調理器１は調理用容器９がトッププレート８から滑落することを防止することができる。また、調理用容器９が滑落しない通常の使用状態においても、凸部１０により、調理用容器９から吹きこぼれたものが、食卓に広がることを防止することができる。【選択図】図１
0003220600.tif 000002
【実用新案登録請求の範囲】
【請求項１】
調理用容器を置くためのトッププレートを有し、
前記トッププレートの周囲の少なくとも一部に凸部を設けたことを特徴とする誘導加熱調理器。
【請求項２】
請求項１に記載の誘導加熱調理器であって、
前記凸部は前記トッププレートを取り囲むように設けられていることを特徴とする誘導加熱調理器。
【請求項３】
請求項１または請求項２のいずれかに記載の誘導加熱調理器であって、
前記凸部は、前記誘導加熱調理器のハウジングの一部、または、前記誘導加熱調理器に付加的に取り付けられた部材からなることを特徴とする誘導加熱調理器。
【請求項４】
請求項１〜３のいずれか一項に記載の誘導加熱調理器であって、
前記凸部は、着脱可能であることを特徴とする誘導加熱調理器。
【請求項５】
請求項１〜４のいずれか一項に記載の誘導加熱調理器であって、
内径が異なる着脱可能な追加の前記凸部を有していることを特徴とする誘導加熱調理器。
【請求項６】
請求項１〜５のいずれか一項に記載の誘導加熱調理器であって、
内径を調整可能な前記凸部を有していることを特徴とする誘導加熱調理器。
【請求項７】
請求項６に記載の誘導加熱調理器であって、
前記凸部はリング部材からなり、
前記リング部材は、二つ以上の円弧部材に分割され、前記円弧部材は伸縮可能な連結部材によって連結されていることを特徴とする誘導加熱調理器。
【請求項８】
請求項１〜７のいずれか一項に記載の誘導加熱調理器であって、
前記誘導加熱調理器の側面または頂面に、温度または電源を表示する表示手段を複数設けたことを特徴とする誘導加熱調理器。
【請求項９】
請求項８に記載の誘導加熱調理器であって、
前記表示手段は、前記誘導加熱調理器の周囲のいずれの位置からでも少なくとも一つの前記表示手段を視認できる位置に設けられていることを特徴とする誘導加熱調理器。
【請求項１０】
請求項１〜９のいずれか一項に記載の誘導加熱調理器であって、
前記凸部の側面または頂面に、カラーサーモセンサーを設けたことを特徴とする誘導加熱調理器。
【請求項１１】
請求項１〜１０のいずれか一項に記載の誘導加熱調理器の頂部に着脱可能な概略リング状の凸部であって、その側面または頂面にカラーサーモセンサーを備えたことを特徴とする誘導加熱調理器の凸部。
【考案の詳細な説明】
【技術分野】
【０００１】
本考案は、誘導加熱調理器及びその凸部に関する。
【背景技術】
【０００２】
近年、電磁誘導による加熱方式（ＩＨ方式）の調理器（以下「誘導加熱調理器」という）が広く使われるようになっている。
【０００３】
誘導加熱調理器は、頂部にトッププレートを有し、該トッププレートの下方で該トッププレートに近接した位置にコイルを有している。使用時には、該トッププレート上に、鉄やステンレス等の磁化が可能な調理用容器を置き、前記コイルに数十ｋＨｚの交流電流を流すようにする。交流電流が流れることにより、コイルが磁場を発生し、交流電流の極性の切り替わりによって該磁場が変動し、調理用容器に渦電流（誘導電流）が流れる。渦電流に対して調理用容器の内部抵抗による熱が発生し、これによって調理用容器が自己発熱する。
【０００４】
誘導加熱調理器のうち、従前から、運搬可能な小型の卓上用の誘導加熱調理器が多く提供されている。卓上用の誘導加熱調理器は一般的には台のような形状を有し、頂面にトッププレートを有し、側面あるいは頂面の一部に操作スイッチや表示パネル等を有している。
【０００５】
卓上用の誘導加熱調理器は食卓の上で、使用者が調理しながら食事をするという利用形態が多い。
【０００６】
特許文献１には、小型の送風装置を設けることにより、冷却性能を高くした卓上用の誘導加熱調理器が開示されている。
【先行技術文献】
【特許文献】
【０００７】
【特許文献１】特開２０１８−４５９１３号公報
【考案の概要】
【考案が解決しようとする課題】
【０００８】
しかし、従来の卓上用の誘導加熱調理器は、安全上改善すべき点があった。
【０００９】
上述したように、従来の卓上用の誘導加熱調理器は、台のような形状を有している。使用時には、該卓上用誘導加熱調理器の頂面のトッププレートの上に調理用容器を置いて使用する。したがって、調理用容器が食卓の面より高い位置に置かれ、その状態で加熱（自己発熱）される。
【００１０】
通常の使用状態では問題はないが、何かの原因によって、調理用容器がトッププレートから滑り落ちることがある。調理用容器及びその内容物は加熱されているため、調理用容器が滑落すると危険である。
【００１１】
そこで、本考案の目的は、調理用容器の滑落を防止することができる誘導加熱調理器を提供することにある。
【課題を解決するための手段】
【００１２】
上述した課題を解決するために、本考案は、
調理用容器を置くためのトッププレートを有し、
前記トッププレートの周囲または上面の少なくとも一部に凸部を設けたことを特徴とする。
【００１３】
前記凸部は前記トッププレートを取り囲むように設けられていてよい。
【００１４】
前記凸部は、前記誘導加熱調理器のハウジングの一部、または、前記誘導加熱調理器に付加的に取り付けられた部材からなるようにしてよい。
【００１５】
前記凸部は、着脱可能であるようにしてよい。
【００１６】
内径が異なる着脱可能な追加の前記凸部を有するようにしてよい。
【００１７】
内径を調整可能な前記凸部を有しているようにしてよい。
【００１８】
前記凸部はリング部材からなり、
前記リング部材は、二つ以上の円弧部材に分割され、前記円弧部材は伸縮可能な連結部材によって連結されているようにしてよい。
【００１９】
前記誘導加熱調理器の側面または頂面に、温度または電源を表示する表示手段を複数設けてもよい。
【００２０】
前記表示手段は、前記誘導加熱調理器の周囲のいずれの位置からでも少なくとも一つの前記表示手段を視認できる位置に設けられているようにしてよい。
【００２１】
前記凸部の側面または頂面に、カラーサーモセンサーを設けてもよい。
【００２２】
本考案の誘導加熱調理器の凸部は、前記誘導加熱調理器の頂部に着脱可能な概略リング状の凸部であって、その側面または頂面にカラーサーモセンサーを備えたことを特徴とする。
【考案の効果】
【００２３】
本考案によれば、調理用容器の滑落を防止することができる誘導加熱調理器を提供することができる。
【図面の簡単な説明】
【００２４】
【図１】本考案の一実施形態による誘導加熱調理器の正面図と平面図と使用状態図。
【図２】本考案の一実施形態による誘導加熱調理器の平面図。
【図３】本考案の一実施形態による誘導加熱調理器の使用状態図と構成を分解して示した斜視図。
【図４】本考案の一実施形態による誘導加熱調理器の構成を分解して示した斜視図と使用状態図。
【図５】本考案の一実施形態による誘導加熱調理器の構成を分解して示した斜視図。
【図６】本考案の一実施形態による誘導加熱調理器の凸部の構成を示した斜視図。
【考案を実施するための形態】
【００２５】
以下に実施形態を、図面を用いて説明する。
＜第１実施形態＞
図１は第１実施形態による誘導加熱調理器１を示している。図１のうち、図１（ａ）は誘導加熱調理器１の正面図、図１（ｂ）は誘導加熱調理器１の平面図、図１（ｃ）は誘導加熱調理器１の一部を切断して使用状態を示した正面図である。
【００２６】
誘導加熱調理器１は、水平断面が円形な全体として概略円柱台形の形状を有している。誘導加熱調理器１は、コイル等の加熱装置や排熱のための装置や制御装置等を内包するハウジング２を有している。
【００２７】
ハウジング２は、好ましくは上部部材３と下部部材４とからなる。上部部材３と下部部材４は内部に前述した加熱装置等を組み込んだ後に、組み立ててハウジング２を構成する。ハウジング２の側面には、ハウジング２を取り巻くように表示部５が設けられている。
【００２８】
下部部材４は、底面に複数の接地突起６を有している。接地突起６は、誘導加熱調理器１を置く面の多少の凹凸を吸収し、誘導加熱調理器１を安定的に置けるようする機能を有する。各接地突起６の底面には任意に滑り止めを兼ねたクッション材を設けることができる。
【００２９】
また、下部部材４の側面には、複数の排熱孔７が設けられている。ハウジング２は内部に加熱用のコイル等を有するため、熱がハウジング２の内部に溜まらないように、排熱孔７が下部部材４の側面に分散して設けられている。
【００３０】
表示部５は、側面に温度や電源のオンオフ等を表示する表示手段１２と、操作をするためのスイッチ１３を有している。表示部５の側面の少なくとも一部は、表示手段１２が見やすいように、および、スイッチ１３等が操作しやすいように、わずかに傾斜し、上方が小径になる円錐台形のような形状になっている。
【００３１】
また、表示手段１２は複数人が誘導加熱調理器１を囲んで調理するときに、いずれの方向からでも確認できる位置、たとえば側面または頂面の一部（例えば頂面の周辺部）に設けるのが好ましい。例えば、３箇所の場合は周囲１２０度ごとに、４箇所の場合は周囲９０度ごとに配置すればよい。これにより、いずれの方向からでも温度等を確認でき、より安全性を高くすることができる。
【００３２】
上部部材３は、図１（ｃ）の一部を切断した部分に明らかに示すように、トッププレート８を支持している。なお、トッププレート８の下方近傍の場所に加熱用のコイル（図示せず）が設置されている。
【００３３】
本実施形態のトッププレート８は円板状の形状を有している。トッププレート８は耐熱性の材料からなり、好ましくは硬質ガラスやセラミックスの成形材等を使用することができる。トッププレート８は可能な限り調理用容器９との距離を短くするため、調理用容器９の底面と密着する平面の上面を有している。
【００３４】
誘導加熱調理器１を使用する時には、図１（ｃ）に示すように、トッププレート８の上に、調理用容器９を置いて誘導加熱調理器１の電源を投入する。電源は、誘導加熱調理器１内部のコイルに数十ｋＨｚの交流電流を印加し、これによってコイルが変動磁場を生じる。この変動磁場に対して、調理用容器９に内部に誘導電流が発生し、調理用容器９の内部抵抗によって熱が発生する。調理用容器９が発生する熱により、食材を加熱し調理することができる。
【００３５】
調理用容器９は、磁化が可能な材料からなり、一般的には鉄やステンレスからなるが、交流電流の周波数や電流の流れ方を工夫して熱伝導が良いアルミニウムや銅を用いて形成することができる。また、調理用容器９は、鉄と銅やアルミニウムを何層か積層し、鉄の層の部分で自己発熱させ、その熱を熱伝導が良い銅やアルミニウムで食材に伝えるようにすることもできる。
【００３６】
本実施形態の誘導加熱調理器１は、上部部材３がトッププレート８の周囲で折り返され、トッププレート８の上面より高い凸部１０を形成している。凸部１０は、トッププレート８の上面より高くなっているため、段差部１１を有し、調理用容器９の横滑りを係止することができる。凸部１０を有していることにより、誘導加熱調理器１は調理用容器９がトッププレート８から滑落することを防止することができる。また、調理用容器９が滑落しない通常の使用状態においても、凸部１０により、調理用容器９から吹きこぼれたものが、食卓に広がることを防止することができる。段差部１１の高さは、上記機能を果たすのに十分な高さ、たとえば０．３ｃｍ〜７ｃｍ、好ましくは０．５ｃｍ〜５ｃｍ、より好ましくは１ｃｍ〜３ｃｍを有している。
【００３７】
なお、凸部１０は上部部材３を折り返してトッププレート８の上面より高くしていると説明したが、上部部材３の中央部分を凹ませて、そこにトッププレート８を配置するようにしてもよい。また、凸部１０の形成は、金属板の折り返しに限られず、鍛造や成型によって形成してもよい。
【００３８】
また、本実施形態の凸部１０は、トッププレート８の全周を取り囲んでいるが、凸部１０は調理用容器９の滑落を防止することができれば足りる。このため、凸部１０はトッププレート８の周囲の一部のみに設けるようにしてもよい。たとえば、凸部１０が複数個の突起部からなり、該突起部をトッププレート８の周囲に等しい角度に分散して設けることができる。具体的には、たとえば３個の突起部を、１２０度に振り分けてトッププレート８の周囲に設けるようにしてもよい。
【００３９】
なお、凸部１０が複数個の突起部からなる場合、突起部同士の間に隙間ができ、トッププレート８のクリーニングに便利である。
【００４０】
本実施形態の凸部１０は、上部部材３の一部を折り返して形成したが、凸部１０はこれに限られない。
【００４１】
すなわち、凸部１０は、上部部材３を含むハウジング２の一部で形成してもよいし、ハウジング２とは別の部材で形成してハウジング２に取り付けるようにしてもよい。
【００４２】
凸部１０を別部材で形成してハウジング２に取り付ける場合は、固定的に取り付けるようにしてもよいし、着脱可能に取り付けるようにしてもよい。凸部１０の取り付けは、吸盤やゴム材や磁石や嵌着やねじ等を利用することができる。
【００４３】
また、本実施形態の凸部１０は平面視でリング状の形状を有しているが、凸部１０は調理用容器９の横滑りを係止することができればよいため、平面視の形状は任意である。
【００４４】
例えば、トッププレート８の外周付近に複数の柱を設け、該柱の上部にリング状のガードを設けた形状としても良い。
【００４５】
＜第２実施形態＞
図２は第２実施形態による誘導加熱調理器１ａの平面図を示している。以下では、第１実施形態と共通する部分については同じ符号を付してその説明を省略することがある。
【００４６】
本実施形態の誘導加熱調理器１ａは、全体として４角柱台形の形状を有している。ハウジング２ａは概略四角の箱形であり、上部に上部部材３ａを有している。ハウジング２ａの側面には、表示部５ａが設けられている。
【００４７】
上部部材３ａは、中央部で円板状のトッププレート８ａを支持している。トッププレート８ａの周囲の上部部材３ａは、折り返され、凸部１０ａに形成されている。なお、見方を変えると、上部部材３ａの上面は、トッププレート８ａの部分だけが凹んだ形に形成され、残る部分が凸部１０ａになっている。凸部１０ａとトッププレート８ａの接続部は、段差部１１ａになっている。凸部１０ａは、段差部１１ａを有していることにより、図示しない調理用容器９（図１参照）の横滑りを防止することができる。なお、段差部１１ａの高さは、たとえば０．３ｃｍ〜７ｃｍ、好ましくは０．５ｃｍ〜５ｃｍ、より好ましくは、１ｃｍ〜３ｃｍとすることができる。
【００４８】
凸部１０ａは、平面視の形状が四角形の中心部を円形に抜いた形状を有している。しかし、前述したように凸部１０ａは調理用容器の横滑りを防止するように、トッププレート８ａの周囲の一部に設けることができる。たとえば、凸部１０ａは、平面視四角形の四隅の部分のみを有するようにしてもよい。
【００４９】
表示部５ａは、四角形の枠のようになっており、四辺のそれぞれの面に温度や電源のオンオフ等を表示する表示手段１２ａが設けられている。表示部５ａの一辺には操作用のスイッチ１３ａが設けられている。
【００５０】
表示部５ａの四面にそれぞれ、温度や電源のオンオフ等を表示する表示手段１２ａを設けることにより、複数人が誘導加熱調理器１ａを囲んで調理するときに、いずれの方向からでも温度等を確認でき、より操作性や利便性および安全性を高くすることができる。なお、表示手段１２ａは、頂面の周辺部等に設けるようにしてもよい。
【００５１】
＜第３実施形態＞
図３は、内径が異なる着脱可能な追加の凸部を有している誘導加熱調理器１ｂを示している。
【００５２】
図３のうち、図３（ａ）は誘導加熱調理器１ｂの一つの使用状態の斜視図を示し、図３（ｂ）は誘導加熱調理器１ｂを分解して示した斜視図を示し、図３（ｃ）は誘導加熱調理器１ｂの他の使用状態の斜視図を示している。
【００５３】
なお、以下の説明では、第１実施形態および第２実施形態と共通する部分については同じ符号を付してその説明を省略することがある。
【００５４】
本実施形態の誘導加熱調理器１ｂは、追加の着脱可能で内径が小さい凸部１４を有している。凸部１４は、リング状の形状を有し、凸部１０ｂの内側に取り付けることができるようになっている。凸部１４の高さは、たとえば０．３ｃｍ〜７ｃｍ、好ましくは０．５ｃｍ〜５ｃｍ、より好ましくは、１ｃｍ〜３ｃｍとすることができる。
【００５５】
凸部１４は、滑りにくく、耐熱性のある材料からなるのが好ましい。凸部１４は、たとえば、耐熱性のシリコンゴム、エラストマーなどの樹脂を用いて成形することができる。また、凸部１４は、たとえば金属（例えばアルミ材やチタン材などの誘電性の低い材料）やガラスやプラスチック樹脂（例えばガラス繊維の入ったポリプロピレンや、ＡＢＳ、ポリカボネート、ナイロンなど）のような硬質の心材にゴムを被覆させたものでもよい。凸部１４は好ましくは吸盤を設けて貼り付けたり、突起にはめ込んだり、ねじで固定したりするなどの係合手段やズレを防止する手段としても良い。また、周辺に磁力（電磁誘導の影響を考慮した位置に配置することを考慮して）を有するようにし、外れにくくすることができる。
【００５６】
さらには、凸部１４に例えば誘電性の高い材料を用いることで、凸部１０ｂが熱を発生し、鍋を例とすると、鍋の側面から熱を加えることで、鍋の加熱を促進することや、凸部１４に熱を蓄積し、通電を切った後の鍋に対し保温を行う様にすることができる。この場合、特にガラス容器や、主にプラスチック樹脂で構成された容器に対して有効である。
【００５７】
本実施形態において、外径が大きい調理用容器９ｂを使用するときは、凸部１４を取り外した状態で、図３（ａ）に示すように、凸部１０ｂの内側に大径の調理用容器９ｂを置いて使用する。一方、外径が小さい調理用容器１５を使用するときは、凸部１４を取り付けた状態で、図３（ｃ）に示すように、凸部１４の内側に小径の調理用容器１５を置いて使用する。
【００５８】
本実施形態によれば、同一の誘導加熱調理器１ｂで大径の調理用容器９ｂと小径の調理用容器１５の双方を使用することができる。調理用容器９ｂと調理用容器１５のいずれを使用するときも、調理用容器９ｂ，１５の滑落を防止することができる。
【００５９】
＜第４実施形態＞
図４は、着脱可能な凸部１０ｃを有している誘導加熱調理器１ｃを示している。
【００６０】
図４のうち、図４（ａ）は誘導加熱調理器１ｃを分解（取り外し）して示した斜視図を示し、図４（ｂ）は誘導加熱調理器１ｃの一つの使用状態の斜視図を示している。
【００６１】
なお、以下の説明では、第１実施形態および第２実施形態および第３実施形態と共通する部分については同じ符号を付してその説明を省略することがある。
【００６２】
本実施形態の誘導加熱調理器１ｃは、凸部１０ｃが着脱可能になっている。
【００６３】
ハウジング２ｃは組み立て状態で中空の概略円柱台の形状を有しているが、頂面にトッププレート８ｃを有し、側面上部に表示部５ｃを有しているため、下部部材４ｃのみが見えている。
【００６４】
下部部材４ｃには接地突起６ｃと排熱孔７ｃが設けられている。表示部５ｃには、表示手段１２ｃが設けられている。
【００６５】
誘導加熱調理器１ｃの頂面は、トッププレート８ｃの上面と同じ高さの面になっている。誘導加熱調理器１ｃの頂面は、全体がトッププレート８ｃに覆われていてもよいし、ハウジング２ｃの一部または表示部５ｃの一部がトッププレート８ｃと均一の面を形成していてもよい。
【００６６】
凸部１０ｃは、リング状の形状を有し、外径が誘導加熱調理器１ｃの頂面の外径とほぼ等しいかそれ以下になっている。凸部１０ｃの内径は調理用容器（不図示）の外径よりわずかに大きくなっている。なお、凸部１０ｃの高さは、たとえば０．３ｃｍ〜７ｃｍ、好ましくは０．５ｃｍ〜５ｃｍ、より好ましくは、１ｃｍ〜３ｃｍとすることができる。
【００６７】
凸部１０ｃは、調理用容器（不図示）の外径に合わせて、複数の種類のものを用意することができる。
【００６８】
凸部１０ｃは、誘導加熱調理器１ｃの頂面に容易に着脱できるようになっている。ここでは、凸部１０ｃの周囲側面に配した固定具２０が、着脱しやすく、周囲からのズレを防止している。固定具２０は例えば、表示部５ｃとトッププレート８ｃの肩部と係合する下方突起を有するものとしてよい。
【００６９】
凸部１０ｃの着脱は、磁石や吸盤や形状的な係合によって実現することができる。また、凸部１０ｃを固定するための他の部材を有するようにしてもよい。また、固定方法は上記実施形態１〜２の方法を用いても良いものである。
【００７０】
本実施形態の誘導加熱調理器１ｃの使用時は、図４（ｂ）に示すように、誘導加熱調理器１ｃの頂面に凸部１０ｃを取り付け、凸部１０ｃの内側で、トッププレート８ｃ上に調理用容器９ｃを置いて使用する。
【００７１】
本実施形態においても、取り付けられた凸部１０ｃが調理用容器９ｃの滑落を防止し、誘導加熱調理器１ｃを安全に使用することができる。また、使用後は凸部１０ｃを取り外せば、誘導加熱調理器１ｃの頂面のクリーニングに便利である。
＜第５実施形態＞
図５は、内径を調整可能な凸部１０ｄを有している誘導加熱調理器１ｄを示している。
【００７２】
以下の説明では、第１実施形態および第２実施形態および第３実施形態および第４実施形態と共通する部分については同じ符号を付してその説明を省略することがある。
【００７３】
本実施形態の誘導加熱調理器１ｄは、凸部１０ｄが着脱可能になっている。
【００７４】
ハウジング２ｄは組み立て状態で中空の概略円柱台の形状を有し、頂面にトッププレート８ｄを有し、側面上部に表示部５ｄを有している。
【００７５】
ハウジング２ｄの下部部材４ｄには、接地突起６ｄと排熱孔７ｄが設けられている。また、表示部５ｄには、表示手段１２ｄが設けられている。
【００７６】
誘導加熱調理器１ｄの頂面は、トッププレート８ｄの上面と同じ高さの面になっている。誘導加熱調理器１ｄの頂面全体がトッププレート８ｄに覆われていてもよいし、ハウジング２ｄの一部または表示部５ｄの一部がトッププレート８ｄと均一の面を形成していてもよい。
【００７７】
凸部１０ｄは、全体としてリング状のリング部材からなるが、第１円弧部材１６と第２円弧部材１７に分割されている。凸部１０ｄの高さ、すなわち第１円弧部材１６と第２円弧部材１７の高さは、たとえば０．３ｃｍ〜７ｃｍ、好ましくは０．５ｃｍ〜５ｃｍ、より好ましくは、１ｃｍ〜３ｃｍとすることができる。
【００７８】
第１円弧部材１６と第２円弧部材１７は、伸縮可能な連結部材１８によって連結されている。連結部材１８は、一方の円弧部材から延伸し、他方の円弧部材に入子状に挿入されている。挿入されている端部をスライドさせることにより、円弧部材同士の距離が変化し、凸部１０ｄの内径を調整することができるようになっている。挿入される側の円弧部材には、固定用ねじ１９が設けられている。所望の内径になるように、連結部材１８を伸縮させ、固定用ねじ１９を締めることによってその内径を維持することができる。
【００７９】
第１円弧部材１６と第２円弧部材１７の下面には固定用突起２１が設けられている。一方、トッププレート８ｄの上面には、複数の固定用穴２２が設けられている。固定用穴２２は、凸部１０ｄの内径を調整した後に、固定用突起２１が嵌着できる複数の位置に設けられている。固定用突起２１を固定用穴２２に嵌着させることにより、凸部１０ｄの位置が固定され、その内径が保持される。
【００８０】
ここでは、凸部１０ｄに固定用突起２１を設け、トッププレート８ｄ上に複数の固定用穴２２を設けて係合をする構造としているが、固定方法は上記実施形態１〜４の方法を用いても良いものである。
【００８１】
なお、内径を調整可能にするために、上記連結部材１８の構造に限られず、任意の公知のスライド可能な締結手段を利用することができる。
【００８２】
図６は前述の凸部１４や凸部１０ｃや凸部１０ｄの斜面（頂面や側面）にカラーサーモセンサー２３を設けたものを示している。カラーサーモセンサー２３は、凸部１４，１０ｃ，１０ｄの表面温度が赤白茶などの色の変化により分かるものであり、保温効果を狙った凸部１４，１０ｃ，１０ｄとしたときに、保温部の温度の目安を確認しやすい。また、移動、かたづけ、保管する際の温度管理が容易でやけどなどの防止につながる。
【００８３】
上記の説明では卓上用を基本に説明してきたが、卓上用に限らずキッチンで使用する誘導加熱調理器においても有効である。
【００８４】
特にお年寄りが使用する場合に、衣の袖などに鍋が掛かったり、鍋を滑らせ、鍋を落としてしまうなどの事故に遭うこともある。誘導加熱調理器は従来のガス調理器と異なり火を使わない便利さがあるが、平面を基本に電磁誘導加熱してきた点に問題があった。
【００８５】
上記の記載に基づいて、当業者であれば、本考案の追加の効果や種々の変形を想到できるかもしれないが、本考案の態様は、上述した実施形態に限定されるものではない。実用新案登録請求の範囲に規定された内容及びその均等物から導き出される本考案の概念的な思想と趣旨を逸脱しない範囲で種々の追加、変更及び部分的削除が可能である。
【符号の説明】
【００８６】
１、１ａ、１ｂ、１ｃ、１ｄ：誘導加熱調理器
２、２ａ、２ｂ、２ｃ、２ｄ：ハウジング
３、３ａ、３ｂ：上部部材
４、４ｂ、４ｃ、４ｄ：下部部材
５、５ａ、５ｂ、５ｃ、５ｄ：表示部
６、６ｂ、６ｃ、６ｄ：接地突起
７、７ｂ、７ｃ、７ｄ：排熱孔
８、８ａ、８ｂ、８ｃ、８ｄ：トッププレート
９、１５、９ｂ、９ｃ：調理用容器
１０、１４、１０ｂ、１０ｃ、１０ｃ、１０ｄ：凸部
１１、１１ｂ：段差部
１２、１２ａ、１２ｂ、１２ｃ、１２ｄ：表示手段
１３、１３ａ：スイッチ
１６：第１円弧部材
１７：第２円弧部材
１８：連結部材
１９：固定用ねじ
２０：固定具
２１：固定用突起
２２：固定用穴
２３：カラーサーモセンサー
【図１】
0003220600.tif 000003
【図２】
0003220600.tif 000004
【図３】
0003220600.tif 000005
【図４】
0003220600.tif 000006
【図５】
0003220600.tif 000007
【図６】
0003220600.tif 000008